(57)【要約】【課題】  船舶から荷降ろしされるコンテナ又は船舶へ積込みされるコンテナを全て検査することを可能とし、既設の様々な岸壁クレーン下部架構部内への配置が可能なコンテナ貨物の検査装置を提供する。【解決手段】  上記課題を達成するために、本発明に係るコンテナ貨物の検査装置は、検査空間と、下部空間とから成る２階建てのフレーム２１を有する。前記検査空間には、岸壁クレーンによって船舶から荷降ろしされるコンテナ１４を仮置きして放射線検査位置まで搬送するローラ２３を備えた仮置台２２と、前記仮置台２２によって搬送されたコンテナ１４を放射線検査するＸ線検査機４０と、放射線検査後のコンテナ１４を下部空間に待機するコンテナ搬送車両７０に引き渡す巻き揚げ機構５４とが備えられ、前記検査空間と下部空間との間には、前記コンテナ１４を中継する開口６２が設けられる。【選択図】    図１
2005257400.tif 000002
【特許請求の範囲】
【請求項１】
岸壁クレーンによって船舶から荷降ろしされたコンテナ内の貨物を放射線検査するコンテナ貨物の検査装置であって、上部検査空間と下部空間とを構成するフレームを有し、前記上部検査空間には、前記岸壁クレーンによって船舶から荷降ろしされるコンテナを仮置きして放射線検査位置まで搬送する移動機構を備えた仮置台と、前記仮置台によって搬送されたコンテナを放射線検査する放射線検査手段と、放射線検査後のコンテナを下部空間に待機するコンテナ搬送車両に引き渡すコンテナ中継手段とが備えられ、前記上部空間と前記下部空間との間には、前記コンテナを中継するための開口部が設けられて成ることを特徴とするコンテナ貨物の検査装置。
【請求項２】
岸壁クレーンによって船舶へ積込みされるコンテナ内の貨物を放射線検査するコンテナ貨物の検査装置であって、上部検査空間と下部空間とを構成するフレームを有し、前記上部検査空間には、コンテナ搬送車両によって下部空間へ搬送されたコンテナを受け取るコンテナ中継手段と、前記コンテナ中継手段によって受け取ったコンテナを放射線検査位置に仮置きして前記放射線検査位置から前記岸壁クレーンへの引渡し位置まで搬送する移動機構を備えた仮置台と、前記放射線検査位置に仮置きされたコンテナを放射線検査する放射線検査手段とが備えられ、前記上部空間と前記下部空間との間には、前記コンテナを中継するための開口部が設けられて成ることを特徴とするコンテナ貨物の検査装置。
【請求項３】
前記仮置台は前記開口部を覆う大きさに構成されることを特徴とする請求項１又は請求項２に記載のコンテナ貨物の検査装置。
【請求項４】
前記仮置台は、前記下部空間へ漏洩する放射線を遮蔽する放射線遮蔽材料によって構成されることを特徴とする請求項１乃至請求項３のいずれか１に記載のコンテナ貨物の検査装置。
【請求項５】
上部空間でコンテナの放射線検査が行われ、下部空間で前記コンテナがコンテナ搬送車両に引き渡されるコンテナ検査方法であって、岸壁クレーンによって船舶から荷降ろしされるコンテナを上部空間に備える移動機構を有する仮置台に仮置きし、前記仮置台をコンテナ検査位置まで移動させることでコンテナを検査位置に搬入し、検査位置に搬入されたコンテナ内の貨物を放射線検査し、検査後のコンテナをコンテナ中継手段によって前記仮置台から持上げて前記仮置台を帰還させ、コンテナ検査位置下部に設けられた開口部を介して下部空間に待機するコンテナ搬送車両に前記コンテナを引き渡すことを特徴とするコンテナ貨物の検査方法。
【請求項６】
下部空間でコンテナをコンテナ搬送車両から受取り、上部空間でコンテナの放射線検査が行われるコンテナ検査方法であって、下部空間にコンテナを搬送するコンテナ搬送車両から上部空間との境界である開口部を介して前記コンテナを受取って上部空間へ引き上げ、移動機構を有する仮置台をコンテナ検査位置へ移動させることで前記開口部を遮蔽し、前記コンテナ検査位置に移動させた仮置台に前記コンテナを仮置きし、仮置台へ仮置きされたコンテナ内の貨物を放射線検査し、検査後のコンテナを仮置台によって岸壁クレーンへの引渡し位置まで移動させることを特徴とするコンテナ貨物の検査方法。
【発明の詳細な説明】
【技術分野】
【０００１】
本発明は、コンテナ貨物の検査装置および方法に係り、特に船舶から荷降ろしされたコンテナ内の貨物又は船舶へ積込みされるコンテナ内の貨物を開梱することなく、コンテナの外部から放射線によって検査するようにしたコンテナ貨物の検査装置および方法に関する。
【背景技術】
【０００２】
近年、コンテナ内に収容されてくる輸入・輸出貨物の中には、銃器、麻薬等の社会悪物品や申告とは異なる不正物品が隠されていることが多くなってきている。これらの物品を摘発するために輸入・輸出貨物を取り扱う港湾では、コンテナ貨物の検査が重要になっている。検査手段としてはコンテナ内の貨物を開梱しない状態のままコンテナ外部からＸ線によって透視するＸ線検査装置が便利であり、例えば特許文献１、特許文献２、特許文献３に記載されたものが知られている。特許文献１に記載されている装置は、検査装置建屋塔内に回転式のＸ線ＣＴ検査装置を配置し、このＸ線ＣＴ検査装置に対してコンテナを相対的に移動させることにより、コンテナ貨物をＸ線ＣＴ検査するようにしている。
【０００３】
また、特許文献２に記載された装置は、定置したコンテナを跨ぐように門型クレーンをコンテナの長手方向に移動させることにより、コンテナ貨物をＸ線検査するようにしている。
【０００４】
また、特許文献３に記載された装置は、遮蔽室内にＸ線装置を配置し、このＸ線検査装置に対してコンテナを搭載した車両を通過させることにより、コンテナ貨物をＸ線検査するようにしている。
【０００５】
一方、この種の岸壁クレーンによる船舶からのコンテナの荷降ろし作業は、船舶の停泊日数を短縮するためにもその高能率化は重要である。このため、種々の高能率な岸壁クレーンが開発され、実用化されている。
【特許文献１】特開平８−２６１９５８号公報
【特許文献２】特表２０００−５１４１８３号公報
【特許文献３】特開２００３−２８７５０７号公報
【発明の開示】
【発明が解決しようとする課題】
【０００６】
しかし、例えば輸入コンテナについては、高能率化された岸壁クレーンによって次々に船舶から荷降ろしされるコンテナに対して、上記したコンテナ貨物の検査装置の検査体制は必ずしも十分であるとは言えない。
【０００７】
例えば特許文献１に記載された装置では、荷降ろしされたコンテナを一旦、検査装置建屋塔内に移動しなければならず、検査に時間もかかり、建屋の建設にも費用がかかる。また、特許文献２に記載された装置でも、荷降ろし後のコンテナはコンテナヤードに置かれ、その後にコンテナ内の検査を行うため、効率的な検査とは言えない。また、特許文献３に記載された装置では、岸壁クレーンから荷降ろしされたコンテナをコンテナ搬送車両に引き渡し、搬送車両ごと建屋内に入れて検査を行うようにしたことで、荷物をコンテナヤード等に置くという手間を省くことができるが、建屋を建設しなければならず費用がかかる。また、搬送車両毎の検査ということで、搬送車両に運転手が乗っていた場合には運転手が被爆してしまう虞がある。
【０００８】
上記のような理由から、従来の検査装置では船舶から数多く荷降ろしされるコンテナ全てを検査することは困難であり、実質的に荷降ろしされるコンテナの一部をピックアップして検査を行うという検査体制を採らざるを得ない。
【０００９】
そこでコンテナの荷降ろしが行われる岸壁クレーン下部で、コンテナ搬送車両への引き渡し前に、コンテナの検査を行うことでコンテナの検査効率の向上を図ることが有効であると考えられる。しかしながら、既存の岸壁クレーンの多くは、安定性を確保するため下部架構部の梁（クレーンの脚を繋ぐ梁）の高さを低く設定している。これに対し、コンテナ搬送車両への引き渡し前にコンテナの検査を行うことを目的とする装置は、おのずとコンテナ搬送車両の全高よりも高い位置でコンテナの検査を行うことが必要となる。このため、比較的大型（全高が高い）となるコンテナ貨物の検査装置を既存の岸壁クレーンの下部架構部内に配備することは困難である。また、通常コンテナはクレーン等によって吊り上げ搬送されるため、この状態でコンテナ検査を行うことが最も効率的であると考えられる。しかし、放射線は線源から扇面状に放射されるため、定置状態でのコンテナ貨物の放射線検査と同様に検査を行う場合、コンテナ吊具も放射線によって検出されてしまい、検査が不正確・不明確なものとなってしまう。また、吊った状態の検査では、検査対象となるコンテナが揺れてしまうこともある。
このような検査効率、正確性等の問題は、輸入コンテナの検査においても挙げられる。
【００１０】
本発明では、既設の様々な岸壁クレーンの下部架構部内に配備することを可能とし、船舶から荷降ろしされるコンテナまたは船舶へ積込みされるコンテナを全て検査することができ、コンテナを定置状態で検査する場合と同じように正確に、かつ吊った状態での検査と同様に効率良く検査をすることもできるコンテナ貨物の検査装置および方法を提供することを目的とする。
【課題を解決するための手段】
【００１１】
上記目的を達成するために、本発明に係るコンテナ貨物の検査装置は、岸壁クレーンによって船舶から荷降ろしされたコンテナ内の貨物を放射線検査するコンテナ貨物の検査装置であって、上部検査空間と下部空間とを構成するフレームを有し、前記上部検査空間には、前記岸壁クレーンによって船舶から荷降ろしされるコンテナを仮置きして放射線検査位置まで搬送する移動機構を備えた仮置台と、前記仮置台によって搬送されたコンテナを放射線検査する放射線検査手段と、放射線検査後のコンテナを下部空間に待機するコンテナ搬送車両に引き渡すコンテナ中継手段とが備えられ、前記上部空間と前記下部空間との間には、前記コンテナを中継するための開口部が設けられて成ることを特徴とする。
【００１２】
また、上記目的を達成するための本発明に係るコンテナ貨物の検査装置は、岸壁クレーンによって船舶へ積込みされるコンテナ内の貨物を放射線検査するコンテナ貨物の検査装置であって、上部検査空間と下部空間とを構成するフレームを有し、前記上部検査空間には、コンテナ搬送車両によって下部空間へ搬送されたコンテナを受け取るコンテナ中継手段と、前記コンテナ中継手段によって受け取ったコンテナを放射線検査位置に仮置きして前記放射線検査位置から前記岸壁クレーンへの引渡し位置まで搬送する移動機構を備えた仮置台と、前記放射線検査位置に仮置きされたコンテナを放射線検査する放射線検査手段とが備えられ、前記上部空間と前記下部空間との間には、前記コンテナを中継するための開口部が設けられて成ることを特徴とするものでもある。
【００１３】
また、上記特徴を有するコンテナ貨物の検査装置において、前記仮置台は前記開口部を覆う大きさに構成されると良い。
さらに、前記仮置台は、前記下部空間へ漏洩する放射線を遮蔽する放射線遮蔽材料によって構成されるようにすると良い。なお、前記放射線遮蔽材料は、鉛やタングステン等の高比重な金属や鉄、その他これらの合金といったもので良い。
【００１４】
また、上記目的を達成するために、本発明に係るコンテナ貨物の検査方法は、上部空間でコンテナの放射線検査が行われ、下部空間で前記コンテナがコンテナ搬送車両に引き渡されるコンテナ検査方法であって、岸壁クレーンによって船舶から荷降ろしされるコンテナを上部空間に備える移動機構を有する仮置台に仮置きし、前記仮置台をコンテナ検査位置まで移動させることでコンテナを検査位置に搬入し、検査位置に搬入されたコンテナ内の貨物を放射線検査し、検査後のコンテナをコンテナ中継手段によって前記仮置台から持上げて前記仮置台を帰還させ、コンテナ検査位置下部に設けられた開口部を介して下部空間に待機するコンテナ搬送車両に前記コンテナを引き渡すことを特徴とする。
【００１５】
また、コンテナを船舶へ積込む際には、下部空間でコンテナをコンテナ搬送車両から受取り、上部空間でコンテナの放射線検査が行われるコンテナ検査方法であって、下部空間にコンテナを搬送するコンテナ搬送車両から上部空間との境界である開口部を介して前記コンテナを受取って上部空間へ引き上げ、移動機構を有する仮置台をコンテナ検査位置へ移動させることで前記開口部を遮蔽し、前記コンテナ検査位置に移動させた仮置台に前記コンテナを仮置きし、仮置台へ仮置きされたコンテナ内の貨物を放射線検査し、検査後のコンテナを仮置台によって岸壁クレーンへの引渡し位置まで移動させることを特徴とすれば良い。
【発明の効果】
【００１６】
上記のようなコンテナ貨物の検査装置において、岸壁クレーンによって船舶から荷降ろしされたコンテナ内の貨物を放射線検査するコンテナ貨物の検査装置であって、上部検査空間と下部空間とを構成するフレームを有し、前記上部検査空間には、前記岸壁クレーンによって船舶から荷降ろしされるコンテナを仮置きして放射線検査位置まで搬送する移動機構を備えた仮置台と、前記仮置台によって搬送されたコンテナを放射線検査する放射線検査手段と、放射線検査後のコンテナを下部空間に待機するコンテナ搬送車両に引き渡すコンテナ中継手段とが備えられ、前記上部空間と前記下部空間との間には、前記コンテナを中継するための開口部が設けられて成るようにすることで、フレーム上部にコンテナを吊り上げ搬送するための天井クレーンを設ける必要が無くなり、検査装置の全高を低くすることが可能となる。よって、既設の様々な岸壁クレーン（下部架構部の梁が低いもの）の下部架構部内にでも配備することが可能となる。また、仮置台に移動機構を備えて、コンテナの仮置き位置から検査位置まで移動可能としたことで、コンテナを吊った状態で移動させることがなくなり、安定した状態で素早く検査位置に搬送することができる。
【００１７】
また、船舶へ積込みされるコンテナ貨物の検査装置として、上部検査空間と下部空間とを構成するフレームを有し、前記上部検査空間には、コンテナ搬送車両によって下部空間へ搬送されたコンテナを受け取るコンテナ中継手段と、前記コンテナ中継手段によって受け取ったコンテナを放射線検査位置に仮置きして前記放射線検査位置から前記岸壁クレーンへの引渡し位置まで搬送する移動機構を備えた仮置台と、前記放射線検査位置に仮置きされたコンテナを放射線検査する放射線検査手段とが備えられ、前記上部空間と前記下部空間との間には、前記コンテナを中継するための開口部が設けられて成ることを特徴とするコンテナ貨物の検査装置を構成すれば、コンテナを積込む際にも上記装置と同様の効果を得ることができる。また、船舶へ積込む直前にコンテナの検査を行うことができるため、コンテナヤードへ搬送されてから船舶へ積込まれるまでの間に不詳の事態が起きた場合でもそれらを検出することが可能となる。すなわち、船舶へ積込むコンテナをコンテナヤードへ搬入する際に検査を行った場合であっても、コンテナヤードから積込みまでの間に社会悪物品等の不正物品をコンテナ内に仕込まれる可能性がある。このような場合であっても、コンテナ内の社会悪物品を検出することができる。
【００１８】
また、上記のようなコンテナ貨物の検査方法において、岸壁クレーンによって船舶から荷降ろしされるコンテナを移動機構を有する仮置台に仮置きし、前記仮置台をコンテナ検査位置まで移動させることでコンテナを検査位置に搬入し、検査位置に搬入されたコンテナ内の貨物を放射線検査し、検査後のコンテナをコンテナ中継手段によって前記仮置台から持上げて前記仮置台を帰還させ、コンテナ検査位置下部に設けられた開口部を介して下部空間に待機するコンテナ搬送車両に前記コンテナを引き渡すようにすることで、通常、コンテナの移動に必要となる天井クレーン等の移動式吊り上げ装置が必要ない。また、仮置きされたコンテナは、仮置き台によって検査位置まで移動されるので、検査時にコンテナが揺れることが無い。また、岸壁クレーンから荷降ろしされるコンテナを、コンテナ搬送車両に引き渡す際に生じる搬送周期のズレを利用してコンテナの検査を行うので、効率の良いコンテナ検査が可能となる。
【００１９】
また、下部空間でコンテナをコンテナ搬送車両から受取り、上部空間でコンテナの放射線検査が行われるような場合には、下部空間にコンテナを搬送するコンテナ搬送車両から上部空間との境界である開口部を介して前記コンテナを受取って上部空間へ引き上げ、移動機構を有する仮置台をコンテナ検査位置へ移動させることで前記開口部を遮蔽し、前記コンテナ検査位置に移動させた仮置台に前記コンテナを仮置きし、仮置台へ仮置きされたコンテナ内の貨物を放射線検査し、検査後のコンテナを仮置台によって岸壁クレーンへの引渡し位置まで移動させるようにすることによって、上記方法と同様の効果を得ることができる。なお、搬送周期のズレはコンテナ搬送車両から岸壁クレーンへコンテナを引き渡す際に生じるものとする。また、船舶へ積込む直前にコンテナの検査を行うことができるため、コンテナヤードへ搬送されてから船舶へ積込まれるまでの間に不詳の事態が起きた場合でもそれらを検出することが可能となる。
【発明を実施するための最良の形態】
【００２０】
以下本発明のコンテナ貨物の検査装置に係る実施の形態について図面を参照して説明する。なお、以下に示す実施の形態は、本発明に係る一部の形態であり、本発明は以下の形態のみに限定されるものではない。
【００２１】
図１は本発明のコンテナ貨物の検査装置に係る第一の実施形態の正面図を示し、図２は本発明のコンテナ貨物の検査装置に係る第一の実施形態の左側面図を示す図である。また、図３は第一の実施形態の巻き揚げ機構を変更した場合の例を示し、図４は本発明のコンテナ貨物の検査装置に係る第二の実施形態の正面図を示す図である。なお、図５は当該検査装置が使用される岸壁エリアの説明図である。
【００２２】
図５において、港湾の岸壁１０の海側にはコンテナ船１２が係留し、コンテナ船１２には多数のコンテナ１４が段積みされている。岸壁１０の陸側には、岸壁クレーン１６がコンテナ船１２の荷降ろし位置に横付けされている。岸壁クレーン１６の下部架構部内には本発明に係るコンテナ貨物の検査装置２０が配置されている。岸壁クレーン１６のスプレッダ１８によって吊り上げられたコンテナ１４は矢印Ａの経路で荷降ろしされ、検査装置２０の仮置台２２に仮置きされる。検査装置２０で検査を終えたコンテナ１４はコンテナ搬送車両７０に引き渡され、目的エリアに搬送される。
【００２３】
以下、図１、図２を参照し、検査装置２０の第一の実施形態について具体的な構成の説明をする。検査装置２０は２階建て構造のフレーム２１を有し、１階はコンテナ搬送車両７０が待機・通過する下部空間、２階はコンテナ貨物の放射線検査が行われる検査空間（上部検査空間）とから成る。１階と２階の通し柱である４本の主脚２４の下端には車輪２６が取り付けられており、検査装置２０は移動自在とされる。なお、前記車輪２６はコンテナ１４の検査を行う際には、ロックされる構造とすると良い。
【００２４】
２階には、海側に張り出し部２８が設けられ、待機状態では、この張り出し部２８の上面に移動機構を備えた仮置台２２が配備されている。前記移動機構は、様々な形態のものが考えられるが、本実施形態ではローラ２３を採用することとする。
【００２５】
張り出し部２８の上方は開口しており、前記岸壁クレーン１６のスプレッダ１８によって吊り上げられたコンテナ１４が、この開口から荷降ろしされ、待機状態の仮置台２２に仮置きされる。
【００２６】
また、検査空間には張り出し部２８に隣接する陸側にプラットホーム３８が設けられており、当該プラットホーム３８の片隅には、コンテナ１４を下部空間に降ろすための開口６２が設けられている。前記仮置台２２は、前記開口６２を覆うことができる寸法に構成されており、このプラットホーム３８上を、コンテナ１４を仮置きした状態で移動し、コンテナ検査位置である開口６２の上部にまでコンテナ１４を搬送する。したがって、前記仮置台２２は、いわゆるトラバーサの役割を果たすこととなる。前記仮置台２２は、鉛やタングステンといった比重の高い金属や鉄、若しくはそれらの合金等の放射線遮蔽材料からなり、コンテナ内の貨物を検査する際に放射される放射線（本実施形態ではＸ線）が下部空間に漏洩しないように遮蔽する効果もある。なお、検査空間の検査位置よりも陸側となる３壁面には、仮置台２２と同様な遮蔽材料からなる遮蔽板が設けられる。
【００２７】
また、検査空間上部の横梁５２には、コンテナ１４の長手方向と平行に配置されたレール５３に沿って走行可能に配置された放射線検査手段であるＸ線検査機４０と、コンテナ中継手段としての巻き揚げ機構５４が備えられる。
【００２８】
前記Ｘ線検査機４０は、転がり機構５５を備えたケーシング４２内にＸ線を扇面状に放射する線源４４を備え、前記仮置台２２によって検査位置に搬送されたコンテナ１４内の貨物を、当該コンテナ１４の長手方向に沿って走査する。また、ケーシング４２の上端からは、Ｌ字型のアーム４９が延設されている。また、アーム４９の先端にはコロ５１が備えられ、コンテナ走査時にケーシング４２が安定走行できるようにしている。また、前記アーム４９の内側（Ｌ字の内側）には、線源４４から放射されてコンテナを透過したＸ線を検出するＸ線検出器５０が備えられる。前記Ｘ線検出器５０は、コンテナ１４の側面及び上面に沿ってＬ字型に形成されている。これにより、Ｘ線が扇面状に放射されるために、通常は被検査体に対して大型なものを設置せざるを得ないＸ線検出器をコンパクトに納めることができるので、検査装置も小型化することができる。
【００２９】
前記巻き揚げ機構５４は、前記開口６２の直上部に設けられる。また、前記巻き揚げ機構５４は、複数の巻き揚げドラムを有し、検査後のコンテナ１４を吊り上げるためのスプレッダ６０をワイヤ５８を介して昇降可能としている。前記スプレッダ６０は、検査終了後のコンテナ１４を吊り上げ、下部空間で待機するコンテナ搬送車両７０に引き渡す。なお、前述した巻き揚げ機構５４は、横梁５２に直接設けるようにする旨記載したが、図３に示すように、駆動機構を有する巻き揚げ機構５４を横梁５２の下部に設けるようにして、検査装置２０の全高をより低くするようにしても良い。この場合、横梁５２には、滑車５７（５７ａ、５７ｂ、５７ｃ、５７ｄ）を設置し、ワイヤ５８を前記滑車５７に巻きかけてスプレッダ６０を横梁５２から垂下させるようにすると良い。
【００３０】
検査空間をこのような構成にすることにより、装置内でコンテナ１４を吊った状態で移動させる必要が無い。これにより、通常コンテナ搬送に必要とされる移動式クレーン等が必要なくなり、装置を小型化することができる。よって岸壁クレーン１６の下部架構部における梁１７が低い場合でも、検査装置２０を前記架構部内に配置することができる。また、仮置台２２にコンテナ１４を置いた状態で検査位置まで移動させるため、揺れを伴う吊り上げ搬送に比べて速い速度での搬送が可能となる。
【００３１】
上記構成の検査装置２０では、まず、当該検査装置２０を自走させて岸壁クレーン１６の下部架構部内に配備する。次に、岸壁クレーン１６によって吊り上げられたコンテナ１４が仮置台２２の上方の開口から荷降ろしされ、仮置台２２に仮置きされる。コンテナ１４を仮置きした後、仮置台２２をコンテナ１４の検査位置となる開口６２の上部まで移動させる。
【００３２】
次に、Ｘ線検査機４０が仮置台２２によって検査位置に搬送されたコンテナ１４の、長手方向に移動してコンテナ１４内の貨物を走査する。すなわちＸ線検査機４０の線源４４からコンテナ１４に向けて扇面状のＸ線が放射される。Ｘ線がコンテナ１４の外郭及びコンテナ内の貨物を透過する過程で減衰し、減衰した透過Ｘ線がＸ線検出器５０によって検出される。Ｘ線検出器５０は、検出したＸ線を電気信号に変換し、図示しない画像処理装置に出力する。前記画像処理装置は前記電気信号を処理してコンテナ１４内の貨物に関する画像を図示しないモニタに表示する。モニタに表示された画像は、オペレータによって、申告された貨物リストと明らかに違うものが無いかをチェックされる。
【００３３】
上記貨物のチェックは以下のような方法でも行うことができる。すなわち、Ｘ線検査機４０にデータベースを保有させ、検査対象となったコンテナ１４の貨物に対応した透過Ｘ線の予想量を設定しておく。このようなＸ線検査機４０によって検査されたコンテナ１４では、透過Ｘ線の線量が予想量と大きく異なる場合には、警報等を鳴らすようにする。警報が鳴ったコンテナ１４は、別途詳細な検査にまわされる。これにより、人的労力を費やすことが少なくなり、検査速度も向上する。
【００３４】
上記検査が終了すると、巻き揚げ機構５４によって垂下されたスプレッダ６０がコンテナ１４の上部に接続される。その後、コンテナ１４は巻き揚げ機構５４によってわずかに持上げられる。この時仮置台２２は、張り出し部２８上面の待機位置へと移動する。これにより、開口６２が開口状態となる。
【００３５】
次に、巻き揚げ機構５４によって、コンテナ１４を垂下させ、下部空間に待機するコンテナ搬送車両７０にコンテナ１４を引き渡す。なお、Ｘ線検査によって正常が確認されたコンテナと、異常が確認されたコンテナとでは、当然にコンテナ搬送車両７０による搬送以降の工程が異なる。
【００３６】
上記のようなコンテナ貨物の検査装置２０では、コンテナ船１２からの荷降ろし速度との関係を踏まえた効率の良いコンテナ貨物の検査を行うことができる。すなわち、通常岸壁クレーン１６によって荷降ろしされるコンテナをコンテナ搬送車両７０に引き渡す際には、双方のタイミングが合致しないことが少なくない。こういった場合に前記岸壁クレーン１６はコンテナを吊ったまま待機せざるを得ないこととなる。本発明の検査装置２０では、仮置台にコンテナを仮置きすることができるので、前記双方のタイミングが合致しない場合であっても岸壁クレーン１６は次のコンテナを吊りに行くことができる。また、従来の待機時間を利用してコンテナ貨物の検査を行うため、一旦コンテナヤードにコンテナを貯めてから検査を行うという煩わしい作業がなくなる。
【００３７】
次に、図４を参照して本発明のコンテナ貨物の検査装置に係る第二の実施形態について説明する。
本実施形態は、第一の実施形態と比べ、Ｘ線検査機４０の構成部材であるアーム４９の一部を異にする。その他の構成については第一の実施形態と同一なので、同一符号を付してその説明を省略する。
【００３８】
本実施形態のＸ線検査機は、ケーシング４２と、当該ケーシング４２に接続されたＬ字型のアーム４９と、ケーシング４２内に配置された線源４４と、アーム４９の内側に配置されたＸ線検出器５０とから成る。
【００３９】
第一の実施形態のアーム４９は、先端部にコロ５１を設け、プラットホーム３８上を転がるように構成されている。これに対し本実施形態では、横梁５２にレール５３ａを設け、Ｌ字型のアーム４９の上側の辺に転がり機構５５ａを設けて前記レール５３ａ上を転がるようにした。
Ｘ線検査機４０をこのような構成にした場合であっても、第一の実施形態と同様な効果を得ることができる。
【００４０】
上記説明では、コンテナ船１２に積まれた輸入貨物のコンテナを岸壁クレーン１６によって荷降ろしする場合について説明した。しかしながら、本実施形態のコンテナ貨物の検査装置２０は、輸入貨物に限らず、コンテナ内の輸出貨物検査にも適用することができる。この場合には、コンテナの搬送ルートが上述の説明とは逆になる。すなわちコンテナ搬送車両７０によって検査装置２０の下部空間に搬送された輸出用コンテナを、巻き揚げ機構５４によって検査空間に吊り上げ、仮置台２２に仮置きする。仮置台２２に仮置きされたコンテナはＸ線検査機４０によって検査される。検査の結果コンテナの正常が認められた場合には、コンテナを張り出し部２８（岸壁クレーンへの引渡し位置）まで搬送する。張り出し部２８に搬送されたコンテナは、岸壁クレーン１６によってコンテナ船１２に積込まれる。なお、検査の結果、異常が検出されたコンテナは、別途適宜な措置がとられる。
【００４１】
上記実施形態では、コンテナ貨物の検査機としてＸ線を用いるＸ線検査機を装備している。Ｘ線は透過力が大きく、コンテナの外郭鉄板を透過させることを必須とする本発明では特に有効であり、好ましくは６〜９ＭｅＶ程度の高エネルギのＸ線を用いると良い。しかしながら、本発明に用いる放射線検査手段は、放射線としてγ線を用いるγ線検査機であっても良い。
【００４２】
また、上記実施形態では、コンテナ中継手段として巻き揚げ機構（巻き揚げ装置）５４を用いる旨記載した。しかしながら、本発明に係るコンテナ中継手段は、他の吊下げ手段はもちろん、コンテナを検査空間から下部空間へ移動させ、コンテナ搬送車両に引き渡すことができるものであれば、フォークリフトのような物でも良い。この場合は、コンテナ下部に設けられた、図示しないフォークポケットを利用することが好適である。
【００４３】
なお、上記実施形態は、本発明のコンテナ貨物の検査装置に係る好適な実施形態の一態様であって、発明の主要部を変更しない限りにおいて様々な形態を採ることができる。すなわち、検査装置２０は４本の主脚２４を有する２階建て構造物としたが、主脚の数はもちろん、コンテナ１４を仮置きし、検査し、搬送車両に引き渡すという構成をとれるものであれば、２階建ての構成すらも任意である。よって、仮置台２２を張り出し部２８に設けると記載しているが、これも好適な条件の１つであり、当然に張り出し部を設けない態様も本発明のコンテナ貨物の検査装置に含まれる。
【図面の簡単な説明】
【００４４】
【図１】本発明のコンテナ貨物の検査装置に係る第一の実施形態の正面図である。
【図２】本発明のコンテナ貨物の検査装置に係る第一の実施形態の左側面図である。
【図３】実施形態における巻き揚げ機構の応用例を示す図である。
【図４】本発明のコンテナ貨物の検査装置に係る第二の実施形態の正面図である。
【図５】本発明のコンテナ貨物の検査装置と岸壁クレーンとの関係を示す図である。
【符号の説明】
【００４５】
１０………岸壁、１２………コンテナ船、１４………コンテナ、１６………岸壁クレーン、１８………スプレッダ、２０………検査装置、２２………仮置台、２４………主脚、２６………車輪、２８………張り出し部、３８………プラットホーム、４０………Ｘ線検査機、４２………ケーシング、４４………線源、５０………Ｘ線検出器、５２………横梁、５４………巻き揚げ機構、６０………スプレッダ、７０………コンテナ搬送車両。
【図１】
2005257400.tif 000003
【図２】
2005257400.tif 000004
【図３】
2005257400.tif 000005
【図４】
2005257400.tif 000006
【図５】
2005257400.tif 000007